(57)【要約】【課題】  頭皮洗浄と通常の洗浄を効果的かつ迅速に切り替えて行うことのできる頭皮シャワーヘッドを提供する。【解決手段】  本発明のシャワーヘッド１では、頭皮洗浄時はシャワーヘッド上部筐体２にブラシ部４を取付け、ブラシ状ノズル２１から噴出する高圧の水流を直接、頭皮に当接して洗浄することで、頭皮洗浄を効果的に行うことができる。通常の洗浄時にはスクリーン５を取付けて通常の水圧、水量でシャワーを利用できる。ブラシ部４とスクリーン５の着脱、取替えを簡単に行うことができるので、頭皮洗浄と通常洗浄を適切かつ迅速に行うことができる。【選択図】図２ａ
2007185462.tif 000002
【特許請求の範囲】
【請求項１】
内部に細孔を有して水を噴出する複数のブラシ状ノズルを有し、前記ノズル及び吐水を直接、頭皮に当接して頭皮を洗浄するシャワーヘッドにおいて、
前記シャワーヘッドは更に、
吐水側の外周にオスネジ部を有するシャワーヘッド筐体と、
前記複数のブラシ状ノズルを一体に保持するブラシ部と、
内側が前記オスネジ部と螺合するメスネジ部となった環状ホルダとを備え、
頭皮を洗浄する際は、前記ブラシ部を前記オスネジ部と前記環状ホルダの間に挿入し、前記オスネジ部と前記環状ホルダのメスネジ部とを螺合することで前記ブラシ部を前記シャワーヘッドに固定することを特徴とする頭皮洗浄シャワーヘッド。
【請求項２】
更にシャワーとして通常水圧、通常水量を吐出する細孔を有するスクリーンを備え、
通常洗浄時は、前記スクリーンを前記オスネジ部と前記環状ホルダの間に挿入して、前記オスネジ部と前記環状ホルダのメスネジ部とを螺合することで前記スクリーンを前記シャワーヘッドに固定することを特徴とする請求項１の前記頭皮洗浄シャワーヘッド。
【請求項３】
前記ブラシ部の細孔の数及び径は、前記スクリーンの細孔の数及び径よりも少なくかつ小さく、高圧の水を吐出することを特徴とする請求項１ないし２の前記頭皮洗浄シャワーヘッド。
【発明の詳細な説明】
【技術分野】
【０００１】  本発明はシャワーヘッドに関し、特に通常の洗浄に加え、頭皮洗浄にも適した頭皮洗浄シャワーヘッドに関する。
【背景技術】
【０００２】  近年、頭髪のケアや育毛が注目されているが、頭髮のケアは大きく分けて１）髪の毛のケア、２）頭皮のケアに分かれる。従来は髪の毛のケアが中心で、シャンプー、リンス、育毛剤などを使って髪の毛に潤いを与えたり、枝毛を防いでいた。しかし最近では根本的な頭髪ケアが求められていることから、頭皮のケアに対する関心が高まっている。即ち頭皮に余分な皮脂や汚れ、あるいはカラーリング剤、シャンプー、リンスが残存すると、酸素を十分供給できず、抜け毛やふけ、かゆみの原因となり、髪の毛を丈夫に保つことができないことから、頭皮を日常的に清潔に保つ必要性が認識されてきた。【０００３】  そこで入浴の際にシャワーで洗髪する際の方法に関心が寄せられている。通常はシャンプーで頭髪を泡立ててシャワー水で洗浄するが、この方法は髪の毛の洗浄には有効でも、濡れた頭髪や水膜に阻まれて頭皮の毛穴の皮脂や汚れまで除去するのは難しい。爪やブラシで強くこするとかえって頭皮を傷つけることがある。即ち頭皮のケアが十分できていない。
【発明の開示】
【発明が解決しようとする課題】
【０００４】  従来から頭皮を洗浄するシャワー装置がいくつか提案されている。その１つに例えば浴室内に、ポンプなどを内蔵した頭皮洗浄器を設置し、ポンプで水道水の圧力を高めて吐水流を作り出すものがある（特許文献１を参照）。即ち強力な吐水流で頭皮をたたいて頭皮洗浄を行うもので、それなりの効果は想定されるが、浴室内に電動式の装置を設置し、洗髪後に該装置をセットして再洗浄するので面倒、充電に時間がかかる、浴室に電気器具をおくのは好ましくない、などの問題がある。【０００５】  またシャワーヘッドにブラシ状の突起を多数設け、それぞれ突起内部を空洞にしてその突起先端から水の細流を出すものが提案されている（特許文献２を参照）。ブラシ状の突起を直接、頭皮に当接させて洗髪することで、濡れた髪や水膜に妨げられずに頭皮を洗浄しようとするものである。しかしそのようなブラシを頭皮に当接しても、洗髪中は当然、頭皮は水（膜）で被われているので、それに抗して毛穴の皮脂や汚れを取るには、吐水流の水圧を高くしなければならない。しかし一般に浴室のシャワーヘッドは洗髪のみならず体も洗うためのものであり、水圧が高いと使い勝手が悪くなったり不快感を感じ、現実的には実施可能ではない。
【特許文献１】特許公開２００３−２１０２３８
【特許文献２】特開平１１−２２５８２７
【０００６】  従がって本発明の目的は、電動式ポンプなどの特別な装置を使用せずに、頭皮を洗浄する際は水圧を増強し、ブラシ状突起から噴出する水流を直接頭皮に当接して頭皮の洗浄を効果的に行うことができると共に、体の洗浄を行うときは通常水圧に容易に切り替え可能にして、通常通りに使用するシャワーヘッドを提供することである。
【課題を解決するための手段】
【０００７】  上記の目的を解決するため、本発明の頭皮洗浄シャワーの実施態様によれば、内部に細孔を有して水を噴出する複数のブラシ状ノズルを有し、前記ノズル及び吐水を直接、頭皮に当接して頭皮を洗浄するシャワーヘッドにおいて、前記シャワーヘッドは更に、吐水側の外周にオスネジ部を有するシャワーヘッド筐体と、前記複数のブラシ状ノズルを一体に保持するブラシ部と、内側が前記オスネジ部と螺合するメスネジ部となった環状ホルダとを備え、頭皮を洗浄する際は、前記ブラシ部を前記オスネジ部と前記環状ホルダの間に挿入し、前記オスネジ部と前記環状ホルダのメスネジ部とを螺合することで前記ブラシ部を前記シャワーヘッドに固定する。【０００８】  更にシャワーとして通常水圧、通常水量を吐出する細孔を有するスクリーンを備え、通常の洗浄の際は、前記スクリーンを前記オスネジ部と前記環状ホルダの間に挿入して、前記オスネジ部と前記環状ホルダのメスネジ部とを螺合することで前記スクリーンを前記シャワーヘッドに固定する。【０００９】  なお、前記ブラシ部の細孔の数及び径は、前記スクリーンの細孔の数及び径よりも少なくかつ小さくして、高圧の水を吐出することが好ましい。
【発明の効果】
【００１０】  以上から電動ポンプを動力源とするような特別な装置を必要とせずに、高水圧のシャワー水により効果的に頭皮を洗浄できる。また通常水圧のシャワー水に簡単に切り替えられることで、体の洗浄も通常通りにできる。
【発明を実施するための最良の形態】
【実施例１】
【００１１】  図１ａ、１ｂは頭皮洗浄シャワーヘッド１の外観を示し、図１ａはその正面図を示し、図１ｂは側面図を示す。図２は該シャワーヘッド１の分解図で、図２ａは頭皮洗浄時のシャワーヘッド１の分解図、図２ｂは通常洗浄時のシャワーヘッド１の分解図である。【００１２】  シャワーヘッド１は、基本的にシャワーヘッド上部筐体２と、シャワーヘッド中部筐体３とからなり、上部筐体２の一端と中部筐体３とをパッキン８を介して螺合接続し、中部筐体３はパッキン９を介してシャワーホースと接続する。中部筐体３の内部は空洞で、その内部に例えば水道水の塩素分を除去し、頭髪を保護する成分を含有するカートリッジ１０を挿入する。【００１３】  ブラシ部４は複数のブラシ状ノズル４１と、ブラシ保持部４２とからなる。それぞれのブラシ状ノズル４１はシリコンゴムなどの柔軟な素材で成形し、その共通基盤（図示せず）を介してブラシ保持部４２に一体に固定する。それぞれのブラシ状ノズル４１（およびブラシ保持部４２）には内部を貫通する細穴（図示せず）が設けられていてシャワー水を通し、その先端からシャワー水を吐出する。【００１４】  シャワーヘッド上部筐体２の他端、すなわち吐水側の外周部はオスネジ部２１となっている。ここで頭皮洗浄時には、ブラシ部４をオスネジ部２１に嵌め込み、その上から、内側がオスネジ部２１と螺合するメスネジとなった環状ホルダ７をオスネジ部２１と螺合することで、ブラシ部４をシャワーヘッド上部筐体２に固定する（図２ａ）。【００１５】  一方、通常洗浄時には、オスネジ部２１にパッキン６を介して通常の吐水スクリーン５を嵌め込み、その上から上記環状ホルダ７をオスネジ部２１と螺合することで、吐水スクリーン５をシャワーヘッド１に固定する（図２ｂ）。【００１６】  すなわちシャワー水は、シャワーホースからシャワーヘッド中部筐体３内のカートリッジ１０を通過し、上部筐体２を経て、頭皮洗浄時にはブラシ部４から、通常の洗浄時には通常のスクリーン５から吐出される。【００１７】  ここでブラシ部４の細孔の数及び径は、通常の洗浄時のスクリーン５に比べて少なくかつ小さくなっている。すなわちブラシ部４を取付けて頭皮を洗浄する際は、ブラシ状ノズル４１の先端からは、通常洗浄時に比べて強力な水圧の水が吐出される。【００１８】  すなわちブラシ状ノズル４１を直接、頭皮に当接し、強力な水圧のシャワー水で洗浄することで、濡れた頭髪や水膜に阻まれずに、頭皮の毛穴の皮脂や汚れを効果的に除去することができる。【００１９】  一方、通常の洗浄時は、ブラシ部４を取付けたままシャワー水を吐出してもよいが、ブラシ部４の吐出水は高圧であって、通常の洗浄には使い勝手が悪く、不快感を生じやすい。水量を少なくして水圧を落とすと、利用者は物足らなさを感じる。そこの通常の洗浄時には、ホルダ７を逆回転させてブラシ部４を取り外し、代わりに通常のスクリーン５を取り付け、ホルダ７をオスネジ部２１と螺合させることで、スクリーン５を固定する。【００２０】  すなわち通常の洗浄時には、通常のスクリーン５を通して、通常の水圧と水量でシャワーを浴びることができ、利用者は不快感や物足りなさを感じることはない。【００２１】  以上のように本発明��シャワーヘッド１により、頭皮洗浄時はブラシ部４を取付けることで、ブラシ状ノズル２１から噴出する高圧水を直接、頭皮に当接して頭皮の洗浄を効果的に行うことができると共に、通常の洗浄時にはスクリーン５を取付けて通常の水圧、水量でシャワーを利用できる。更に、ブラシ部４とスクリーン５の着脱、取替えは簡単に行うことができるので、頭皮洗浄と通常洗浄を適切かつ迅速に行うことができる。【００２２】  更にシャワー水を中部筐体３内のカートリッジ１０を通過させて塩素分を除去し、頭髪を保護する成分を賦与することで、頭皮、頭髪の総合的なケアが可能となる。
【図面の簡単な説明】
【００２３】
【図１ａ】  本発明の実施例の頭皮洗浄シャワーヘッドの外観を示し、図１ａはその正面図、である。
【図１ｂ】  その側面図である。
【図２ａ】  本発明の実施例の頭皮洗浄シャワーヘッドの分解図で、図２ａはブラシ部４を取付けて頭皮洗浄する際の分解図、である。
【図２ｂ】  スクリーン５を取付けて通常の洗浄をする際の分解図である。
【符号の説明】
【００２４】１    シャワーヘッド
２    シャワーヘッド上部筐体
３    シャワーヘッド中部筐体
４    ブラシ部
４１  ブラシ状ノズル
４２  ブラシ保持部
５    スクリーン
６    パッキン
７    環状ホルダ
８    パッキン
９    パッキン
１０  カートリッジ
【図１ａ】
2007185462.tif 000003
【図１ｂ】
2007185462.tif 000004
【図２ａ】
2007185462.tif 000005
【図２ｂ】
2007185462.tif 000006